(57)【要約】【課題】目的箇所を手動でブラッシングすることにより付着した塵芥物を除去し、除去された塵芥物を外部に落下させることなく吸引させ、室内機の清掃目的箇所に応じてブラシの突出長さを調整できるようにして、効率よく清掃できる清掃具の提供。【解決手段】電気掃除機の吸込みパイプに着脱自在に取付られる吸込みダクト１と、該吸込みダクト１の先端に前方に向かって突き出た状態で取り付けられたブラシ２と、吸込みダクト１の先端部分の外周にダクト軸方向に沿って移動調整可能に取り付けられ、且つ先端に向かってラッパ状に拡がった吸込み口３１を有する外カバー３とからなり、該外カバー３の先端に柔軟な弾性材料で形成された蛇腹状筒部材３２が取付られ、前記吸込みダクト１の先端部には外カバー内部で開口するエアー吸引穴３３が設けられており、前記外カバー３を移動調整することによりブラシ先端の蛇腹状筒部材３２からの突出長さが調整できる構造。【選択図】　　　　図１
2004141298.tif 000002
【特許請求の範囲】
【請求項１】
電気掃除機の吸込みパイプに着脱自在に取付られる吸込みダクト（１）と、該吸込みダクト（１）の先端に前方に向かって突き出た状態で取り付けられたブラシ（２）と、吸込みダクト（１）の先端部分の外周に吸込みダクト軸方向に沿って移動調整可能に取り付けられ、且つ先端に向かってラッパ状に拡がった吸込み口（３１）を有する外カバー（３）とからなり、該外カバー（３）の先端に柔軟な弾性材料で形成された蛇腹状筒部材（３２）が取付られ、前記吸込みダクト（１）の先端部には外カバー内部で開口するエアー吸引穴（３３）が設けられており、前記外カバー（３）を移動調整することによりブラシ先端の蛇腹状筒部材（３２）からの突出長さが調整できるように形成されている空調機器の室内機用清掃具。
【請求項２】
前記外カバー（３）を吸込みダクト（１）に対して移動調整可能に取り付ける手段が、吸込みダクト（１）の外周に突出形成されたピン（４）と、外カバー（３）に形成されたピン誘導用のシフト溝（５）とによって形成され、前記シフト溝（５）は吸込みダクト（１）の軸方向に沿って延びる誘導路（５１）と、この誘導路（５１）から吸込みダクト周方向に屈曲する複数の位置決め嵌合部（５２）とで形成され、且つ前記ピン（４）が所望の位置決め嵌合部（５２）にシフトできるように外カバー（３）が吸込みダクト（１）に対して回動可能に形成されている請求項１に記載の空調機器の室内機用清掃具。
【発明の詳細な説明】
【０００１】
【発明の属する技術分野】
本発明は、電気掃除機の吸込みパイプ先端に取り付けて冷暖房装置等の空調機器の室内機を清掃するための清掃具に関し、殊に室内機の吹き出し口の清掃に適した清掃具に関する。
【０００２】
【従来の技術】
従来、平坦な床面や畳等の清掃を効率よく行うために吸込み口に回転ブラシ等を備えた電気掃除機はよく知られている。
【０００３】
【発明が解決しようとする課題】
しかし従来タイプのものでは、吸込み口が幅広く平坦であるために冷暖房室内機の吹き出し口のような小さく入り込んだ部分を清掃するには不都合であった。そこで従来ではこの回転ブラシを備えた吸込み具に替えて、細長いノズル状の吸込み口を有する筒状のアタッチメントを取り付けて清掃を行っているが、エアーによる吸引だけであるので強く付着した塵芥物を除去することができない。また室内機のフイルターネットや熱交換機のフインなどのような柔らかくて傷みやすい箇所に直接固いノズル先端を押しつけるとフインが変形したりネットが破れたりしてうまく清掃することができないといった問題点があった。
【０００４】
そこで本発明は、吸込み口にブラシを取り付けてこのブラシで目的箇所を手動でブラッシングすることにより固く付着した塵芥物を効果的に除去すると同時に、除去された塵芥物を外部に落下させることなく吸引させることができると共に、室内機における吹き出し口のフイルターネットや吹出し口内部及び熱交換機のフイン等の清掃目的箇所に応じてブラシの突出長さを調整できるようにして効率よく室内機を清掃することのできる清掃具を提供することを主たる目的とするものである。
【０００５】
【課題を解決するための手段】
上記目的を達成する為に本発明では次のような技術的手段を講じた。即ち、本発明にかかる清掃具にあっては、電気掃除機の吸込みパイプに着脱自在に取付られる吸込みダクト１と、該吸込みダクト１の先端に前方に向かって突き出た状態で取り付けられたブラシ２と、吸込みダクト１の先端部分の外周に吸込みダクト軸方向に沿って移動調整可能に取り付けられ、且つ先端に向かってラッパ状に拡がった吸込み口３１を有する外カバー３とからなり、該外カバー３の先端に柔軟な弾性材料で形成された蛇腹状筒部材３２が取付られ、前記吸込みダクト１の先端部には外カバー内部で開口するエアー吸引穴３３が設けられており、前記外カバー３を移動調整することによりブラシ先端の蛇腹状筒部材３２からの突出長さが調整できるように形成されている構造とした。これにより室内機における吹き出し口のフイルターネットや吹出し口内部及び熱交換機のフイン等の清掃目的箇所に応じて外カバー３を移動調整することによりブラシ２の突出長さが調整できるようにして効率よく室内機を清掃することのできるようにした。
【０００６】
前記外カバー３を吸込みダクト１に対して移動調整可能に取り付ける手段として、例えば吸込みダクト１の外周にピン４を突出形成すると共に、外カバー３に誘導用のシフト溝５を形成し、このシフト溝５に吸込みダクト１の軸方向に沿って延びる誘導路５１と、この誘導路５１から吸込みダクト周方向に屈曲する複数の位置決め嵌合部５２を設け、且つ前記ピン４が所望の位置決め嵌合部５２にシフトできるように外カバー３を吸込みダクト１に対して回動できるように形成するのが好ましい。これにより清掃箇所の条件に応じて外カバー３を操作してピン４を所望の位置決め嵌合部５２にシフトすることによりブラシ２の突出長さを簡単に調整することができる。
【０００７】
【発明の実施の形態】
以下本発明の実施例を図面に基づいて説明する。図１は本発明に係る清掃具の側面図であって、ブラシを少し引き出した状態を示すものであり、図２は図１におけるＡ−Ａ線に沿った断面図、図３は上記清掃具の側面図で図１の姿勢からブラシを更に引き出した状態を示すものであり、図４は上記清掃具の側面図でブラシを蛇腹状筒部材の内部に引っ込めた状態を示すものである。
【０００８】
本発明に係る清掃具は、電気掃除機の吸込みパイプ（図示せず）に着脱自在に取付られる吸込みダクト１と、該吸込みダクト１の先端に前方に向かって突き出た状態で取り付けられたブラシ２と、吸込みダクト１の先端部分の外周に吸込みダクト軸方向に沿って移動調整可能に取り付けられ、且つ先端に向かってラッパ状に拡がった吸込み口３１を有する外カバー３とから成る。前記外カバー３の先端に天然ゴムや合成ゴム等や軟質合成樹脂の柔軟な弾性材料で形成された蛇腹状筒部材３２が取付られており、前記吸込みダクト１の先端部には外カバー３の内部で開口するエアー吸引穴３３が設けられている。吸込みダクト１の後端部分１１は電気掃除機の吸込みパイプに着脱自在に挿着するために少し先細り状に形成されている。
【０００９】
前記前記外カバー３を吸込みダクト１に対して移動調整可能に取り付ける手段として、本実施例では吸込みダクト１の外周にピン４を突出形成すると共に、外カバー３に誘導用のシフト溝５を形成し、このシフト溝５に吸込みダクト１の軸方向に沿って延びる誘導路５１と、この誘導路５１から吸込みダクト周方向に屈曲する複数の、例えば図に示すように４個の位置決め嵌合部５２を設け、且つ前記ピン４が所望の位置決め嵌合部５２にシフトできるように外カバー３を吸込みダクト１に対して回動できるように形成されている。これにより清掃箇所の条件に応じて外カバー３を操作してピン４を所望の位置決め嵌合部５２にシフトすることによりブラシ２の先端を図４の蛇腹状筒部材３２の内部に引き込めた状態から、図１の少し突出させた状態、図３のやや長く突出させた状態、並びに図示は省略するが更に引き出した状態まで移動調整することができるように形成されている。従って、例えば室内機における吹出し口のフイルターネットを清掃するときは図１の少し引き出した状態にセットし、熱交換機のフイン部分を清掃するときは図３のやや長く引き出した状態にセットし、吹出し口の羽根部分を清掃するときは更に長く引き出した状態にセットして清掃するなど、清掃目的箇所の状態に応じてブラシ２の突出長さを調整することにより効率よく室内機をくまなく清掃することができる。尚、上記実施例では位置決め嵌合部５２を４個所設けたがその数を増減できることは勿論である。
【００１０】
又、ブラシ２のまわりに柔軟な弾性材料で形成された蛇腹状筒部材３２があるので、ブラッシング時に室内機を傷つけることがなく、且つ蛇腹状筒部材３２を被清掃箇所に強く押しつけることができるので、発生する埃や塵芥物を効率よく吸引することができ、塵芥物の落下も防止することができる。
【００１１】
以上本発明の代表的と思われる実施例について説明したが、本発明は必ずしもこれらの実施例構造のみに限定されるものではない。例えば、外カバー３を吸込みダクト１に対して移動調整可能に取り付ける手段としては上記実施例構造に特定されるものではなく、例えば従来の伸縮パイプでよく見られるように、吸込みダクト１と外カバー３とを相対的にスライド可能とし、外リングで外周から両者を締め付け固定できるように形成することも可能である。本発明ではその構成要件を備え、かつ前記の目的を達成し、下記の効果を有する範囲において適宜に改変して実施することができるものである。
【００１２】
【発明の効果】
本発明の清掃具は上記の如く構成したものであるから、目的箇所を手動でブラッシングすることにより付着した塵芥物を効果的に除去すると同時に、除去された塵芥物を外部に落下させることなく吸引させることができると共に、室内機における吹き出し口のフイルターネットや吹出し口内部及び熱交換機のフイン等の清掃目的箇所に応じてブラシの突出長さを調整することができ、これにより室内機をくまなく清掃することのできる。更にブラシのまわりに柔軟な弾性材料で形成された蛇腹状筒部材が配置されているので、ブラッシング時に室内機を傷つけることがなく、且つ蛇腹状筒部材を被清掃箇所に強く押しつけることができるので、発生する埃や塵芥物を効率よく吸引することができ、塵芥物の落下も防止することができるといった顕著な効果がある。
【図面の簡単な説明】
【図１】本発明に係る清掃具の一実施例を示す側面図でブラシを少し引き出した状態を示す。
【図２】図１におけるＡ−Ａ線に沿った断面図。
【図３】上記清掃具の側面図でブラシで図１の姿勢から更に引き出した状態を示す。
【図４】上記清掃具の側面図でブラシを蛇腹状筒部材の内部に引っ込めた状態を示す。
【符号の説明】
１　吸込みダクト
２　ブラシ
３　外カバー
３１　吸込み口
３２　蛇腹状筒部材
３３　エアー吸引穴
【図１】
2004141298.tif 000003
【図２】
2004141298.tif 000004
【図３】
2004141298.tif 000005
【図４】
2004141298.tif 000006